(57)【特許請求の範囲】
【請求項１】
前枠部１ｂの裏面に固定されたベース枠９における枠体１１の開口部内に遊技盤１２が嵌込まれるとともに、前記ベース枠９に賞品球払い出しユニット４５を備えた合成樹脂製の裏枠４０が回動可能に組付けられて前記遊技盤１２の裏側に整合されるパチンコ機であって、
前記裏枠４０の下枠部に形成された後路壁５９の前面側に、前記遊技盤１２の裏側から通出されたセーフ球を受け入れて下流側へ誘導するためのセーフ球集合通路６３が形成される一方、前記裏枠４０の後路壁５９の裏面側で前記セーフ球集合通路６３に対応する所定部位に、前記賞品球払い出しユニット４５から払い出された賞品球を導入して排出するための裏カバー板７０が取外し可能に取り付けられており、
前記セーフ球集合通路６３では、前記遊技盤１２の裏面に押し当て状態で垂立された前記前路壁５８と、該前路壁５８の後側に球通過間隔をおいて垂立された前記裏枠４０の後路壁５９との間に、セーフ球を下流に転動案内する傾斜状の樋板６０が形成され、この樋板６０の上面と前記後路壁５９の前面との間に集合部６３ａと合流部６３ｃとが連通して形成され、
前記セーフ球集合通路６３の前路壁５８の路内面には、セーフ球用の整流リブ６７Ａ、６７Ｂが球流れ方向に沿って形成され、前記セーフ球集合通路６３の後路壁５９の所定部位には、前記合流部６３ｃ内のセーフ球の流れ状態を透視し得る細長形状のセーフ球監視窓８４が合流部６３ｃの路面６３ｅに沿って開設され、
前記裏カバー板７０では、該裏カバー板７０の裏側板部分となる後壁部７０ａの前面側に、前記賞品球払い出しユニット４５から払い出された賞品球を導入して下流側へ案内排出する賞品球誘導通路８０が形成され、この賞品球誘導通路８０とは干渉しない後壁部７０ａの所定部位に、前記セーフ球監視窓８４の後側に隣接して前記セーフ球集合通路６３の合流部６３ｃ内を通行するセーフ球及びその通過状態を透視し得る横長形状のセーフ球透視窓８７が貫通状に開設され、
前記裏枠４０の後路壁５９の裏面側の所定部位に前記裏カバー板７０が取り付けられた状態において、前記セーフ球監視窓８４と前記セーフ球透視窓８７との前後連通状態により、裏カバー板７０の裏側から前記セーフ球集合通路６３の合流部６３ｃ内のセーフ球を透視可能に設定したことを特徴とするパチンコ機。
【発明の詳細な説明】
【０００１】
【産業上の利用分野】
この発明はパチンコ機に関し、とくに遊技盤の裏側から転り落ちたセーフ球を誘導するセーフ球誘導機構に関する。
【０００２】
【従来の技術】
従来技術としては例えば実公平６−１４１号公報がある。この公報には収容保持枠及び遊技盤の裏面に亘り装着されたセット板の内側下部には全てのセーフ球を受け入れて下流の所定部側へ排出するセーフ球集合排出領域が形成され、前記セット板の内側下部にはセーフ球集合排出領域の開口前面の所要面域を覆蓋する隔壁部材を取着したパチンコ機の遊技球通路が開示されている。
【０００３】
【発明が解決しようとする課題】
本発明は遊技盤の裏側から転り落ちたセーフ球の流れを円滑化および安定化させることを課題とするものである。
【０００４】
【課題を解決するための手段】
請求項１のパチンコ機は、前枠部１ｂの裏面に固定されたベース枠９における枠体１１の開口部内に遊技盤１２が嵌込まれるとともに、前記ベース枠９に賞品球払い出しユニット４５を備えた合成樹脂製の裏枠４０が回動可能に組付けられて前記遊技盤１２の裏側に整合されている。
又、前記裏枠４０の下枠部に形成された後路壁５９の前面側に、前記遊技盤１２の裏側から通出されたセーフ球を受け入れて下流側へ誘導するためのセーフ球集合通路６３が形成される一方、前記裏枠４０の後路壁５９の裏面側で前記セーフ球集合通路６３に対応する所定部位に、前記賞品球払い出しユニット４５から払い出された賞品球を導入して排出するための裏カバー板７０が取外し可能に取り付けられている。
【０００５】
前記セーフ球集合通路６３では、前記遊技盤１２の裏面に押し当て状態で垂立された前記前路壁５８と、該前路壁５８の後側に球通過間隔をおいて垂立された前記裏枠４０の後路壁５９との間に、セーフ球を下流に転動案内する傾斜状の樋板６０が形成され、この樋板６０の上面と前記後路壁５９の前面との間に集合部６３ａと合流部６３ｃとが連通して形成されている。
又、前記セーフ球集合通路６３の前路壁５８の路内面には、セーフ球用の整流リブ６７Ａ、６７Ｂが球流れ方向に沿って形成され、前記セーフ球集合通路６３の後路壁５９の所定部位には、前記合流部６３ｃ内のセーフ球の流れ状態を透視し得る細長形状のセーフ球監視窓８４が合流部６３ｃの路面６３ｅに沿って開設されている。
【０００６】
そして、前記裏カバー板７０では、該裏カバー板７０の裏側板部分となる後壁部７０ａの前面側に、前記賞品球払い出しユニット４５から払い出された賞品球を導入して下流側へ案内排出する賞品球誘導通路８０が形成され、この賞品球誘導通路８０とは干渉しない後壁部７０ａの所定部位に、前記セーフ球監視窓８４の後側に隣接して前記セーフ球集合通路６３の合流部６３ｃ内を通行するセーフ球及びその通過状態を透視し得る横長形状のセーフ球透視窓８７が貫通状に開設されていて、前記裏枠４０の後路壁５９の裏面側の所定部位に前記裏カバー板７０が取り付けられた状態において、前記セーフ球監視窓８４と前記セーフ球透視窓８７との前後連通状態により、裏カバー板７０の裏側から前記セーフ球集合通路６３の合流部６３ｃ内のセーフ球を透視可能に設定してある。
【０００７】
【作用】
この請求項１のパチンコ機では、前枠部１ｂの裏面に固定されたベース枠９における枠体１１の開口部内に遊技盤１２が嵌込まれるとともに、前記ベース枠９に賞品球払い出しユニット４５を備えた合成樹脂製の裏枠４０が回動可能に組付けられて前記遊技盤１２の裏側に整合されている。
又、このパチンコ機は、前記裏枠４０の下枠部に形成された後路壁５９の前面側に、前記遊技盤１２の裏側から通出されたセーフ球を受け入れて下流側へ誘導するためのセーフ球集合通路６３が形成される一方、前記裏枠４０の後路壁５９の裏面側で前記セーフ球集合通路６３に対応する所定部位に、前記賞品球払い出しユニット４５から払い出された賞品球を導入して排出するための裏カバー板７０が取外し可能に取り付けられている。
【０００８】
又、セーフ球集合通路６３には、前記遊技盤１２の裏面に押し当て状態で垂立された前記前路壁５８と、該前路壁５８の後側に球通過間隔をおいて垂立された前記裏枠４０の後路壁５９との間に、セーフ球を下流に転動案内する傾斜状の樋板６０が形成され、この樋板６０の上面と前記後路壁５９の前面との間に集合部６３ａと合流部６３ｃとが連通して形成されている。
又、前記セーフ球集合通路６３の前路壁５８の路内面には、セーフ球用の整流リブ６７Ａ、６７Ｂが球流れ方向に沿って形成され、前記セーフ球集合通路６３の後路壁５９の所定部位には、前記合流部６３ｃ内のセーフ球の流れ状態を透視し得る細長形状のセーフ球監視窓８４が合流部６３ｃの路面６３ｅに沿って開設されているので、セーフ球の流れを見ることができる。
【０００９】
又、一方、裏カバー板７０では、該裏カバー板７０の裏側板部分となる後壁部７０ａの前面側に、前記賞品球払い出しユニット４５から払い出された賞品球を導入して下流側へ案内排出する賞品球誘導通路８０が形成され、この賞品球誘導通路８０とは干渉しない後壁部７０ａの所定部位に、前記セーフ球監視窓８４の後側に隣接して前記セーフ球集合通路６３の合流部６３ｃ内を通行するセーフ球及びその通過状態を透視し得る横長形状のセーフ球透視窓８７が貫通状に開設されている。
そして、前記裏枠４０の後路壁５９の裏面側の所定部位に前記裏カバー板７０が取り付けられた状態において、前記セーフ球監視窓８４と前記セーフ球透視窓８７との前後連通状態により、裏カバー板７０の裏側から前記セーフ球集合通路６３の合流部６３ｃ内のセーフ球の流通状態を見ることができる。
【００１０】
【発明の効果】
請求項１のパチンコ機では、裏枠４０において、セーフ球集合通路６３の前路壁５８の路内面にセーフ球用の整流リブ６７Ａ、６７Ｂが球流れ方向に沿って形成されているので、セーフ球はリブ６７Ａ、６７Ｂと当接して案内されながら整列された状態で流下し、又、裏カバー板７０を取り付けた状態において、セーフ球監視窓８４と貫通状に開設したセーフ球透視窓８７とによってセーフ球集合通路６３の合流部６３ｃ内のセーフ球を見ることができるので、セーフ球集合通路の球詰りの有無をパチンコ機の後側から容易に見分けることができると共に、転動するセーフ球に付着したゴミ等をセーフ球監視窓８４およびセーフ球透視窓８７を通じて排出することが可能である。
そして、前記裏カバー板７０には賞品球誘導通路８０が形成してあるので、賞品球誘導通路８０を変更するに当たっては、裏枠４０全体の変更をすることなく、裏カバー板７０の変更、即ち、新たな別の裏カバー板７０のみを取り付けることにより対応できる。
【００１５】
【実施例】
次に、本発明の１実施例を図面にしたがって説明する。
パチンコ機の木枠１は定位置に立設される角筒状の後枠部１ａと、この後枠部１ａにヒンジによって前方への回動可能に結合されて後枠部１ａの前側に設置された方形枠状の前枠部１ｂとによって形成されている。
【００１６】
木枠１の前枠部１ｂの裏面には上部の第１部材と下部の第２部材とが分離可能に結合されて形成された合成樹脂製のベース枠９がビスによって固定されている。
【００１７】
ベース枠９にはその下端部に配設されて木枠１の前枠部１ｂの下端部裏面にビス止めされたセット板１０と、このセット板１０の上方に配設されて木枠１の前枠部１ｂの開口部とほぼ等しい形状の開口部が開口された枠体１１とが形成され、この枠体１１の開口部内には遊技盤１２が後方への取出し可能に嵌め込まれている。
【００１８】
枠体１１の下枠部には賞品球を上皿内へ導入する前賞品球口２０が開設されている。
【００１９】
ベース枠９のセット板１０の前面は遊技盤面１２ａにほぼ整合され、このセット板１０の前面には上皿内から送り出された遊技球を球発射起点となる基端部で受止めて発射球を遊技盤面１２ａへ案内する発射レール１５が先上り姿勢で固定され、また、セット板１０には発射レール１５上の遊技球を遊技盤面へ向けて発射させる発射機構が取付けられている。
【００２０】
セット板１０の前面の一端付近にはセット板１０に取付けられて効果音等を発するスピーカー１７が内部に収容された円筒状のスピーカー収容部２１が突設され、このスピーカー収容部２１の上面にはスピーカー１７上へ転落したこぼれ球を両側方の斜め下方へ誘導する球受け面２１ａが円弧面状に形成されている。
【００２１】
セット板１０の前側にはセット板１０に結合されてスピーカー１７の前面およびその両側方をカバーするスピーカーカバー樋１８が発射レール１５の側方に隣接して設置されている。
【００２２】
スピーカーカバー樋１８の内端付近には上面が発射レール１５側へ先下り状に傾斜したファール球誘導部１８ａが形成され、このファール球誘導部１８ａと発射レール１５の先端部との間には遊技盤面へ打出されて逆流したファール球が通り抜けるファール球通し口１９が形成されている。
【００２３】
セット板１０の前側には内方へ先下り状に傾斜した状態でスピーカー収納部２１の下方に設置されて球受け面２１ａに衝突して転落したこぼれ球を内方へ案内する第１こぼれ球誘導板２２と、内方へ先下り状に傾斜した状態で発射レール１５の下方に設置されて、こぼれ球を内方へ誘導する第２こぼれ球誘導板２３とが形成されている。
【００２４】
セット板１０の裏面にはその中央部付近に外方へ先下り状に傾斜した状態で設置されたアウト球誘導板２４と、このアウト球誘導板２４の外方に内方へ先下り状に傾斜した状態で間隙を隔てて設置された第３こぼれ球誘導板２５とが連接されている。
【００２５】
セット板１０の中央部付近には左右１対の垂直な側壁部２６ａと、この両側壁部２６ａの後端縁に直交状に連接された後壁部２６ｂと、両側壁部２６ａおよび後壁部２６ｂの下端縁に連接されて前下り状に傾斜した底壁部２６ｃとを有し、上端に開口部２６ｄが開設された球誘導ケース２６が一体状に形成されている。
【００２６】
球誘導ケース２６は遊技者に払い出される賞品球およびファール球を上方から受入れて前下方の下皿内へ送り出す目的で設置され、この球誘導ケース２６内には賞品球およびファール球が通過する球排出通路３２が後上端から前下端にわたって形成されている。
【００２７】
球誘導ケース２６の裏面には後壁部２６ｂおよび底壁部２６ｃを補強する複数本の補強リブ２６ｅが後壁部２６ｂの後面と底壁部２６ｃの下面とにわたって並行状に突出形成されている。
【００２８】
球誘導ケース２６の内壁面の上下部にはこの球誘導ケース２６内へ落下するパチンコ球の落下起点からそのパチンコ球が衝突する落下地点までの落差を縮小してパチンコ球の落下衝撃を緩衝する目的で球誘導ケース２６内に互に逆方向へ先下り状に傾斜した姿勢で設置された上下１対の緩衝板２７，２７が連接されている。
【００２９】
上側の緩衝板２７の前部はファール球の落下衝撃が緩衝されるように下側の緩衝板２７の前方へ延出されている。
【００３０】
球誘導ケース２６内へ落下した賞品球は上側の緩衝板２７に衝突して上側の緩衝板２７を伝って転動してから、下側の緩衝板２７に衝突して下側の緩衝板２７を伝って転動し、さらに球誘導ケース２６の底壁部２６ｃ上へ転落するか、若しくは下側の緩衝板２７に衝突してから底壁部２６ｃ上へ転落し、球誘導ケース２６内へ落下した賞品球の落下衝撃が両緩衝板２７によって緩衝される。
【００３１】
球誘導ケース２６の後壁部２６ｂの中央部付近および下端には下側の緩衝板２７の先端縁の上方および下方にそれぞれ配設されて球排出通路３２を通行するパチンコ球およびその通行状態を監視する３個１組の第１賞品球透視孔３１がそれぞれ開設されている。
【００３２】
球誘導ケース２６内の上部には球誘導ケース２６の後壁部２６ｂに連接されて前方へ突出された支軸３８によって左右方向への搖動可能に支持されて球誘導ケース２６内にパチンコ球が充満したときに搖動する満タン検出片３９が、上側の緩衝板２７によって覆われた状態で設置されている。
【００３３】
満タン検出片３９にはセット板１０の前面に取付けられた満タン検出スイッチ４７の触動片４７ａを満タン時に押上げる突片３９ａが突出形成されている。
【００３４】
セット板１０の裏面には上端縁が第３こぼれ球誘導板２５の先端縁に連接されて垂立された縦壁板１３と、上端縁がこの縦壁板１３の下端縁に連接されて内端縁が球誘導ケース２６に連接され、断面形状がＬ形状に曲折された樋板１４とが一体状に形成され、樋板１４の下片１４ａの上面には上面が後下り状に傾斜した複数個の突条１４ｂが並行状に凸設されている。
【００３５】
球誘導ケース２６と縦壁板１３との間には左右１対の側壁部２９ａと、この両側壁部２９ａの後端縁に連接された後壁部２９ｂと、後壁部２９ｂの下端縁に連接されて前方へ若干突出された底壁部２９ｃとを有し、セット板１０に取外し可能に係止されて球誘導ケース２６の側方で樋板１４上に設置された遊技球集合ケース２９が挟み込まれている。
【００３６】
遊技球集合ケース２９内にはセーフ球およびアウト球を集めてパチンコ機外へ誘導する遊技球排出通路３０が形成され、樋板１４と、遊技球集合ケース２９の下面と、球誘導ケース２６の側面との間には遊技球集合ケース２９の下方に形成されて遊技球集合ケース２９内へ落入したアウト球およびセーフ球を後方へ誘導してパチンコ機外へ排出する遊技球排出口３３が開設されている。
【００３７】
アウト球誘導片２４の先端部から転がり落ちたアウト球および第３こぼれ球誘導板２５の先端部から転がり落ちたこぼれ球は遊技球集合ケース２９内へ落入し、遊技球排出口３３を通り抜けてパチンコ機外へ排出される。
【００３８】
遊技盤１２の裏面１２ｂには遊技盤面１２ａの入賞口、始動口に落入して遊技盤１２を通り抜け、遊技盤１２の裏面１２ｂを伝って転落するセーフ球が通行するセーフ球流路３５が形成されている。
【００３９】
ベース枠９に取外し可能で後方への回動可能に組付けられてベース枠９の枠体１１および遊技盤１２の後側に設置された合成樹脂製の裏枠４０には上枠部と、下枠部と左右の側枠部とが形成されている。
【００４０】
裏枠４０の一方の側枠部の裏面には賞品球の払い出しを制御する縦長状の賞品球払い出しユニット４５が取外し可能に取付けられている。
【００４１】
裏枠４０の下枠部には遊技盤１２の裏面１２ｂに押し当てられた状態で垂立された前路壁５８と、この前路壁５８の後方に１個のパチンコ球の通過が可能な間隙を隔てて垂立された後路壁５９とが前後並行状に形成されている。
【００４２】
裏枠４０の下枠部には前端縁が前路壁５８の前面に整合されて後端縁が後路壁５９の後面に整合され、ベース枠９の前賞品球口２０の後側に隣設された後賞品球口５７が前賞品球口２０に突合わせ状に対向して開設されている。
【００４３】
裏枠４０の下枠部には前後路壁５８，５９にそれぞれ連接されて前路壁５８の横幅と等しい長さを有し、賞品球払い出しユニット４５に向って先下り状に傾斜して設置された第１の樋板６０と、前後路壁５８，５９にそれぞれ連接されて第１の樋板６０の長さの約半分の長さを有し、第１の樋板６０の傾斜方向と逆方向へ先下り状に傾斜して設置された第２の樋板６１と、この第２の樋板６１の先端に一端が連接されて第２の樋板６１の下方に第１の樋板６１の傾斜方向と同方向へ先下り状に傾斜して設置され、内端付近の傾斜角度が増大した第３の樋板６２とが形成され、第１の樋板６０の先端部は賞品球払い出しユニット４５のケース体の下端に開口されたセーフ球検出口５６の前側に配設され、第２の樋板６１の先端部は第１の樋板６０の左右方向中央部の上方に配設されている。
【００４４】
裏枠４０の前後路壁５８，５９間で第１の樋板６０上および第２の樋板６１上にはセーフ球流路３５の下方に配設されて遊技盤１２の裏面の各部を伝って転落したセーフ球を集めて横方向の斜め下方へ誘導するセーフ球集合通路６３が形成されている。
【００４５】
セーフ球集合通路６３には遊技盤１２の裏面１２ｂを横方向へほぼ２等分する仮想２分線ａの一側方の区域から転落した各セーフ球を集めて２分線ａ側へ流下させる第１の集合部６３ａと、２分線ａの他側方の区域から転落した各セーフ球を集めて逆方向から２分線ａ側へ流下させる第２の集合部６３ｂと、第１の集合部６３ａの下流に配設されて第１の集合部６３ａを通り抜けて直進する各セーフ球および第２の集合部６３ｂを通り抜けてＵターンする各セーフ球を合流させる合流部６３ｃと、この合流部６３ｃを通り抜けた各セーフ球を横一列に整列させてセーフ球検出口５６へ向けて流下させる整列部６３ｄとが形成されている。
【００４６】
セーフ球集合通路６３の合流部６３ｃは、この合流部６３ｃ付近の路面６３ｅから天井面６３ｆまでの通路高さが下流に向って漸減するように先細状に形成され、整列部６３ｄはその通路高さが一定でパチンコ球が一列で通過するように形成されている。
【００４７】
遊技盤１２の裏面１２ｂの２分線ａの一側方の区域から第１の樋板６０上へ転落した各セーフ球は第１の集合部６３ａと合流部６３ｃと整列部６３ｄとを経由する直進経路を通行してから、整列部６３ｄの先端で後方へ案内されてセーフ球検出口５６内へ導入される。
【００４８】
２分線ａの他側方の区域から第２の樋板６１上へ転落した各セーフ球は第２の集合部６３ｂを通行してから第２の集合部６３ｂの若干先方で上方から下方へＵターンして合流部６３ｃへ進入して、合流部６３ｃから整列部６３ｄへ導入されて第２の集合部６３ｂと合流部６３ｃと整列部６３ｄとを経由するＵターン経路を通行してから整列部６３ｄの先端で後方へ案内されてセーフ球検出口５６内へ導入される。
【００４９】
前路壁５８の内壁面には第１の樋板６０上のセーフ球集合通路６３の路面６３ｅの匂配と等しい匂配で路面６３ｅに沿って延長されてセーフ球集合通路６３を通行するセーフ球の流れを整える第１、第２整流リブ６７Ａ，６７Ｂが並行状に凸設されている。但し、整流リブ６７Ａ，６７Ｂに代えて整流溝を凹設してもよい。
【００５０】
第１整流リブ６７Ａはセーフ球集合通路６３の路面６３ｅから上方へパチンコ球の半径とほぼ等しい間隔を隔てた位置に第１の集合部６３ａと合流部６３ｃと整列部６３ｄとにわたって形成されている。
【００５１】
第１整流リブ６７Ａの上方には先端部が合流部６３ｃ付近に延出されて長さが合流部６３ｃの通路高さの変化に合わせて段階的に変化する適数個の第２整流リブ６７Ｂがパチンコ球の外径より縮小された間隙をそれぞれ隔てて並列されている。
【００５２】
前後路壁５８，５９間の下端部で賞品球払い出しユニット４５側の端部付近には基端部がセーフ球検出口５６の前側に配設されて先端部が前記遊技球集合ケース２９の上方に配設され、内方へ先下り状に傾斜した状態で前後路壁５８，５９にそれぞれ連接された第４の樋板６５と、この第４の樋板６５の上方に設置されて前後路壁５８，５９にそれぞれ連接された第５の樋板６６とが形成され、前後路壁５８，５９間で第４の樋板６５上にはセーフ球検出口５６内からその前側へ転がり出た検出済みのセーフ球を遊技球集合ケース２９へ向けて誘導するセーフ球誘導通路６９が形成されている。
【００５３】
セーフ球検出口５６からその前側へ放出されたセーフ球は第４の樋板６５上の基端部上へ転がり落ちてセーフ球誘導通路６９を通行し、第４の樋板６５の先端部から転落して遊技球集合ケース２９内へ落入し、遊技球排出通路３０を流下して遊技球排出口３３からパチンコ機外へ排出される。
【００５４】
前路壁５８の裏面の下端部には第４の樋板６５と並行な傾斜状態で第４の樋板６５に沿って延長され、第４の樋板６５上を転動するセーフ球を整然と直進通行させてセーフ球の流れを整える第３整流リブ６８が凸設されている。
【００５５】
裏枠４０の後路壁５９にはセーフ球集合通路６３の合流部６３ｃの上流で第１の樋板６０上の集合部６３ａでのセーフ球の流れ状態を裏枠４０の背後から透視する３個１組で２組の監視孔６４が開設されている。
【００５６】
後路壁５９には第１の樋板６０上のセーフ球集合通路６３の合流部６３ｃ付近の路面に沿って斜めに延長されて細長い長方形状に形成され、セーフ球集合通路６３の合流部６３ｃの上流および下流でのセーフ球の流れ状態を裏枠４０の背後から透視する１対のセーフ球監視窓８４が開設されている。
【００５７】
前路壁５８にはセーフ球集合通路６３の路面６３ｅに沿って横長状に形成されてセーフ球監視窓８４の前方に配設された１対の除塵窓９６が開設されている。この除塵窓９６は路面６３ｅに付着したゴミを除去したり、除塵窓９６に棒などを差込んで球詰りを修復する目的で形成されている。
【００５８】
前路壁５８の前面の中央部付近には遊技盤１２の裏面１２ｂに凹設された位置決め孔に係合された位置決め突起９５が一体状に凸設されている。この位置決め突起９５は遊技盤１２とセーフ球集合通路６３との相対位置を指定してセーフ球を適正位置でセーフ球集合通路６３へ導入する目的で形成されている。
【００５９】
前路壁５８の後面の両端部および中央部付近には後路壁５９の前面に凸設された凸部にそれぞれ係合された円筒状の係合部９４が、前後路壁５８，５９の相対位置を指定して後路壁５９への前路壁５８の組付けを簡便化および正確化する目的で一体状に凸設されている。
【００６０】
後路壁５９の後面の中央部付近には後方へ延出されてベル８９が後端にねじ９３によって結合されたベル取付け部９２が一体状に突設され、このベル取付け部９２はベル８９の音響効果が良化されるように外径が外方へ漸減する円錐体状に形成されるとともに、ベル取付け部９２の後端にはねじ９３がねじ込まれるねじ孔が裏枠４０へのベル８９の取付けを簡易化する目的で刻設されている。
【００６１】
後路壁５９の裏面には後路壁５９の約半分をカバーする前方開放の箱形状の裏カバー板７０がビスによって取外し可能に取付けられている。
【００６２】
裏カバー板７０にはその後端部に垂立された後壁部７０ａと、この後壁部７０ａの上端縁に連接されてその前方へ突出された上壁部７０ｂと、後壁部７０ａの下端縁に連接されてその前方へ突出された下壁部７０ｃと、後壁部７０ａの外端縁に連接されてその前方へ突出された外側壁部７０ｄと、後壁部７０ａの内端縁に連接されてその前方へ突出された内側壁部７０ｅとが形成されている。
【００６３】
裏カバー板７０の外側壁部７０ｄの上端および下端付近には賞品球払い出しユニット４５内から賞品球を受入れる上球入口７０ｆと、賞品球払い出しユニット４５内から抜き球を受入れる下球入口７０ｇとが開口されている。
【００６４】
裏カバー板７０の後壁部７０ａの前面には上壁部７０ｂの下方に内方へ先下り状に傾斜して設置されて外端縁が上球入口７０ｆの下開口縁に連接された第１の樋部７２と、この第１の樋部７２の内端縁に連接されて第１の樋部７２の内端付近の下方に外方へ先下り状に傾斜して設置された第２の樋部７３と、第１の樋部７２の内方にほぼ円弧状に湾曲した状態で設置された第３の樋部７４と、第２の樋部７３の下方に第２の樋部７３と並行状に傾斜して設置された第４の樋部７５と、この第４の樋部７５の外端縁に連接されてその下方にほぼ直立状に設置された第５の樋部７６と、この第５の樋部７６の下端縁に連接されて第４の樋部７５の下方に内方へ先下り状に傾斜して設置された第６の樋部７７と、第５の樋部７６の外方および下方に上部が直立状で中央部および下部がほぼＳ形状に湾曲して設置され、下端縁が下壁部７０ｃに連接された第７の樋部７８と、この第７の樋部７８の上端付近の外方にほぼ水平状に設置されて外端縁が外側壁部７０ｄに連接され、上面が前先下り状に傾斜した複数本の突条７９ａが上面に凸設された第８の樋部７９とが連接されている。
【００６５】
裏カバー板７０の第８の樋部７９の前端縁はこの第８の樋部７９上へ転落した賞品球が前記後賞品球口５７内へ導入されるように前記後賞品球口５７の下端の後方に配設され、下壁部７０ｃの前端縁の左右方向の中央部付近および第７の樋部７８の下端の内方の部位はその上へ転落した賞品球が遊技球集合ケース２９内および球誘導ケース２６内へ導入されるように遊技球集合ケース２９の後壁部２９ｂおよび球誘導ケース２６の後壁部２６ｂの若干上方に配設されている。
【００６６】
裏カバー板７０内には複数個所でカーブした形状を有し、賞品球払い出しユニット４５から送り出された賞品球が通行する賞品球誘導通路８０が各樋部７２〜７９および各壁部７０ａ〜７０ｅによって形成され、裏カバー板７０内へ導入された賞品球のうち、賞品球誘導通路８０の上部を通行して第８の樋部７９上へ転落した賞品球は後賞品球口５７および前賞品球口２０を通り抜けて上皿内へ送り込まれる。
【００６７】
また、賞品球誘導通路８０の上部および下部を通行して下壁部７０ｃ上へ転落した賞品球は球誘導ケース２６内へ落入して球誘導ケース２６内を通り抜け、下皿内へ送り込まれる。セーフ球集合通路６３と、賞品球誘導通路８０とは後路壁５９によって仕切られている。
【００６８】
裏カバー板７０内の下端部で下壁部７０ｃ上の中央部の外方には球抜き時に下球入口７０ｇを通って裏カバー板７０内へ導入された抜き球を遊技球集合ケース２９内へ誘導する球抜き通路８５が形成されている。
【００６９】
裏カバー板７０の後壁部７０ａには第８の樋部７９の上方に配設されて後賞品球口５７へ送り込まれる賞品球の状態を監視する複数個の第２賞品球透視孔８１と、下壁部７０ｃの内端部の上方に配設されて賞品球誘導通路８０の出口部を通行する賞品球の状態を監視する第３賞品球透視孔８２と、下壁部７０ｃの中央部の上方に配設されて球抜き通路８５を通行する抜き球の状態を監視する抜き球透視孔８３とが開設されるとともに、裏カバー板７０にはセーフ球監視窓８４の後側に隣設されてセーフ球集合通路６３を通行するセーフ球およびその通過状態を監視する１対の横長状のセーフ球透視窓８７が貫通状に開設されている。この両セーフ球透視窓８７は後壁部７０ａおよび樋板７６，７７，７８に連接された筒型状の壁体９１によってそれぞれ包囲されている。
【００７０】
続いて、上記した構成を有する実施例の作用と効果を説明する。
本例では、裏枠４０の下部に形成された前後路壁５８，５９間には遊技盤１２の裏面１２ｂの各部を伝って転落した各セーフ球を集めてセーフ球検出口５６へ誘導するセーフ球集合通路６３を形成し、このセーフ球集合通路６３には遊技盤１２の裏面１２ｂを横方向へほぼ２等分する２分線ａの一側方の区域から転落した各セーフ球を集めて２分線側へ流下させる第１の集合部６３ａと、２分線ａの他側方の区域から転落した各セーフ球を集めて逆方向から２分線ａ側へ流下させる第２の集合部６３ｂと、第１の集合部６３ａを通り抜けて直進する各セーフ球および第２の集合部６３ｂを通り抜けてＵターンする各セーフ球を合流させる先細状の合流部６３ｃと、この合流部６３ｃを通り抜けた各セーフ球を横一列に整列させて流下させる整列部６３ｄとを形成し、前路壁５８の内壁面には第１の集合部６３ａと合流部６３ｃと整列部６３ｄとにわたってその路面６３ｅに沿って形成された第１整流リブ６７Ａと、この第１整流リブ６７Ａの上方に並列されて先端部が合流部６３ｃ付近に延出された適数個の第２整流リブ６７Ｂとを並行状に凸設してある。
【００７１】
このため、セーフ球がセーフ球集合通路６３を通行する間に各セーフ球の流下状態を第１整流リブ６７Ａによって自然に規正することができ、セーフ球集合通路６３を通行するセーフ球の乱れを矯正してセーフ球集合通路６３での球詰りの発生を防止することができる。
【００７２】
従って、セーフ球集合通路６３で発生した球詰りのためにセーフ球の検出が遅れたり、不能となって賞品球の払い出しが行われなくなる不具合を解消することができる。
【００７３】
また、セーフ球集合通路６３の第１の集合部６３ａへ転落するセーフ球を第２整流リブ６７Ｂによって緩衝および整流してから第１整流リブ６７Ａによって案内して合流部６３ｃへ整然と進入させることができるとともに、第２の集合部６３ｂを通り抜けたセーフ球を第２整流リブ６７Ｂによって整流しながらＵターンさせて合流部６３ｃへスムースに進入させることができ、第１の集合部６３ａから合流部６３ｃへ進入するセーフ球の流れと、第２の集合部６３ｂから合流部６３ｃへ進入するセーフ球の流れとが互に干渉し合って合流部６３ｃで球詰りが発生する不具合を解消することができる。
【００７４】
また、裏枠４０の前路壁５８を各整流リブ６７Ａ，６７Ｂによって補強して前通路壁５８の強度特性を向上させ、セーフ球の落下衝撃作用による前路壁５８の破損やひび割れを防止することができる。
【図面の簡単な説明】
【図１】本発明の１実施例を示すパチンコ機の裏面図である。
【図２】ベース枠の要部の正面図である。
【図３】ベース枠の要部の裏面図である。
【図４】裏枠の要部の側面図である。
【図５】図４のＸ１−Ｘ１線縮小断面図である。
【図６】図５のＸ２−Ｘ２線拡大断面図である。
【図７】図５のＸ３−Ｘ３線拡大断面図である。
【図８】裏枠の要部の裏面図である。
【符号の説明】
９      ベース枠
１２    遊技盤
４０    裏枠
５８    前路壁
５９    後路壁
６３    セーフ球集合通路
６３ａ  第１の集合部
６３ｂ  第２の集合部
６３ｃ  合流部
６３ｄ  整列部
６３ｅ  路面
６７Ａ  第１整流リブ
６７Ｂ  第２整流リブ
６８    第３整流リブ
【図１】
0003829249.tif 000002
【図２】
0003829249.tif 000003
【図３】
0003829249.tif 000004
【図４】
0003829249.tif 000005
【図５】
0003829249.tif 000006
【図６】
0003829249.tif 000007
【図７】
0003829249.tif 000008
【図８】
0003829249.tif 000009